(57)【特許請求の範囲】
【請求項１】
タイヤ周方向に対して１５度〜４０度の角度で傾斜する複数本の有機繊維コードを含み該有機繊維コードが層間で互いに交差するように積層された２層の低角度ベルト層と、タイヤ周方向に対して８０度〜９０度の角度で配列された複数本のスチールコードを含む高角度ベルト層とをトレッド部に備えた乗用車用空気入りラジアルタイヤにおいて、
前記低角度ベルト層を構成する有機繊維コードが各低角度ベルト層の幅方向両端部で終端し、前記低角度ベルト層を構成する有機繊維コードがポリ−パラフェニレンベンゾビスオキサゾール繊維コードであって該有機繊維コードの強度が３０００ＭＰａ〜６０００ＭＰａであると共に、
前記低角度ベルト層及び前記高角度ベルト層を構成するコートコンパウンドの２０℃における貯蔵弾性率Ｅ’が３ＭＰａ〜１５ＭＰａであり、かつ６０℃におけるｔａｎδが０．０３〜０．１５であり、
前記低角度ベルト層の下方域にて不連続となるようにタイヤ幅方向に分割された少なくとも１層のカーカス層を一対のビード部間に配置し、前記カーカス層の分割部のタイヤ幅方向の長さが前記低角度ベルト層のうち狭い層の幅の６０％以上８０％以下であることを特徴とする乗用車用空気入りラジアルタイヤ。
【請求項２】
偏平率が５５％以下であることを特徴とする請求項１に記載の乗用車用空気入りラジアルタイヤ。
【請求項３】
前記高角度ベルト層を構成するスチールコードとしてモノフィラメントを用いたことを特徴とする請求項１又は２に記載の乗用車用空気入りラジアルタイヤ。
【発明の詳細な説明】
【技術分野】
【０００１】
本発明は、走行性能の改善に加えて軽量化が強く求められる乗用車用空気入りラジアルタイヤに関し、更に詳しくは、操縦安定性及び高速耐久性の改善と軽量化をより高いレベルで実現することを可能にした乗用車用空気入りラジアルタイヤに関する。
【背景技術】
【０００２】
乗用車用空気入りラジアルタイヤは、一般に、一対のビード部間にタイヤ径方向に配向する複数本のカーカスコードを含むカーカス層を装架し、トレッド部におけるカーカス層の外周側にタイヤ周方向に対して傾斜する複数本のスチールコードを含むベルト層を配置した構造を有している。このような乗用車用空気入りラジアルタイヤにおいては、操縦安定性や高速耐久性等の走行性能を改善することに加えて、省資源や低燃費の観点から、軽量化を達成することが強く求められている。しかしながら、軽量化によりタイヤ剛性が低下すると、それに伴って操縦安定性や高速耐久性が低下する傾向がある。
【０００３】
これに対して、操縦安定性を犠牲にすることなくタイヤの軽量化を図るために、スチールコードからなる２層のベルト層を有機繊維コードからなる２層のベルト層に置き換え、更に、スチールコードをタイヤ周方向に対してハイアングルで配列させた他のベルト層を追加したタイヤ構造が提案されている（例えば、特許文献１参照）。このようなタイヤ構造はスチールコードの使用量を削減するという点では軽量化に寄与する。しかしながら、ベルト層の枚数が２層から３層に増え、ベルト層のコートコンパウンド量が増えるため、タイヤ全体としては必ずしも軽量化を達成することができないのが現状である。
【先行技術文献】
【特許文献】
【０００４】
【特許文献１】特開平１０−４４７１２号公報
【発明の概要】
【発明が解決しようとする課題】
【０００５】
本発明の目的は、操縦安定性及び高速耐久性の改善と軽量化をより高いレベルで実現することを可能にした乗用車用空気入りラジアルタイヤを提供することにある。
【課題を解決するための手段】
【０００６】
上記目的を達成するための本発明の乗用車用空気入りラジアルタイヤは、タイヤ周方向に対して１５度〜４０度の角度で傾斜する複数本の有機繊維コードを含み該有機繊維コードが層間で互いに交差するように積層された２層の低角度ベルト層と、タイヤ周方向に対して８０度〜９０度の角度で配列された複数本のスチールコードを含む高角度ベルト層とをトレッド部に備えた乗用車用空気入りラジアルタイヤにおいて、
前記低角度ベルト層を構成する有機繊維コードが各低角度ベルト層の幅方向両端部で終端し、前記低角度ベルト層を構成する有機繊維コードがポリ−パラフェニレンベンゾビスオキサゾール繊維コードであって該有機繊維コードの強度が３０００ＭＰａ〜６０００ＭＰａであると共に、
前記低角度ベルト層及び前記高角度ベルト層を構成するコートコンパウンドの２０℃における貯蔵弾性率Ｅ’が３ＭＰａ〜１５ＭＰａであり、かつ６０℃におけるｔａｎδが０．０３〜０．１５であり、
前記低角度ベルト層の下方域にて不連続となるようにタイヤ幅方向に分割された少なくとも１層のカーカス層を一対のビード部間に配置し、前記カーカス層の分割部のタイヤ幅方向の長さが前記低角度ベルト層のうち狭い層の幅の６０％以上８０％以下であることを特徴とするものである。
【発明の効果】
【０００７】
本発明では、有機繊維コードからなる２層の低角度ベルト層と、スチールコードからなる高角度ベルト層とを積層しているので、圧縮剛性が高いスチールコードに基づいてベルト部の幅方向の圧縮剛性を確保しながら、高強度の有機繊維コードに基づいてベルト部の周剛性を増加させることができる。これにより、操縦安定性及び高速耐久性を改善することができる。更に、低角度ベルト層及び高角度ベルト層の積層構造に対して分割構造を有するカーカス層を組み合わせた場合、上述の如く改善した操縦安定性及び高速耐久性を損なうことなく、空気入りラジアルタイヤを軽量化することができる。
【０００８】
本発明において、カーカス層の分割部のタイヤ幅方向の長さは低角度ベルト層のうち狭い層の幅の６０％以上８０％以下とする。これにより、高速耐久性の改善効果を最大限に得ることができる。
【０００９】
低角度ベルト層を構成する有機繊維コードの強度は３０００ＭＰａ〜６０００ＭＰａとする。この場合、有機繊維コードの細径化により低角度ベルト層を薄肉化してタイヤの軽量化を促進することができる。
【００１０】
高角度ベルト層を構成するスチールコードとしてはモノフィラメントを用いることが好ましい。この場合、スチールコードの細径化により高角度ベルト層を薄肉化してタイヤの軽量化を促進することができる。
【００１１】
低角度ベルト層及び高角度ベルト層を構成するコートコンパウンドは２０℃における貯蔵弾性率Ｅ’を３ＭＰａ〜１５ＭＰａとし、かつ６０℃におけるｔａｎδを０．０３〜０．１５とする。トレッド部に３層のベルト層を配置した場合、ベルト部の剛性に対するコートコンパウンドの寄与が低下するため、低角度ベルト層及び高角度ベルト層には柔らかく発熱性が低いコートコンパウンドを使用することが可能である。このような柔らかく発熱性が低いコートコンパウンドを使用することにより、走行時における低角度ベルト層及び高角度ベルト層の発熱を抑え、高速耐久性を更に改善することができる。
【図面の簡単な説明】
【００１２】
【図１】本発明の実施形態からなる乗用車用空気入りラジアルタイヤを示す子午線断面図である。
【図２】図１の乗用車用空気入りラジアルタイヤのカーカス層及びベルト層を抽出して示す展開図である。
【発明を実施するための形態】
【００１３】
以下、本発明の構成について添付の図面を参照しながら詳細に説明する。図１〜図２は本発明の実施形態からなる乗用車用空気入りラジアルタイヤを示すものである。図１において、１はトレッド部、２はサイドウォール部、３はビード部である。左右一対のビード部３，３間にはトレッド部１のセンター領域においてタイヤ幅方向に分割された１層のカーカス層４が配置されている。このカーカス層４はタイヤ径方向に延びる複数本のカーカスコードを含み、各ビード部３に配置されたビードコア５の廻りにタイヤ内側から外側に折り返されている。カーカスコードとしては、ポリエステル繊維コード等の有機繊維コードが使用されている。カーカスコードのタイヤ周方向に対する傾斜角度は８０°〜９０°の範囲に設定されている。また、ビードコア５の外周上にはビードフィラー６が配置され、このビードフィラー６がカーカス層４の本体部分と折り返し部分との間に挟み込まれている。分割構造を有するカーカス層４は少なくとも１層設けることが必要であるが、２層以上であっても良い。また、分割構造を有するカーカス層４に対して分割構造を持たないカーカス層を組み合わせるようにしても良い。
【００１４】
トレッド部１におけるカーカス層４の外周側には２層の低角度ベルト層７と１層の高角度ベルト層８とが積層されている。より具体的には、高角度ベルト層８は低角度ベルト層７とカーカス層４との間に配置されている。なお、高角度ベルト層８は発熱を抑えるという観点から低角度ベルト層７とカーカス層４との間に配置することが望ましいが、その配置位置が限定されるものではない。
【００１５】
図２に示すように、２層の低角度ベルト層７はタイヤ周方向に対して１５度〜４０度の角度θ１で傾斜する複数本の有機繊維コードを含み、かつ層間で有機繊維コードが互いに交差するように配置されている。低角度ベルト層７を構成する有機繊維コードの強度（コードの破断強力／コードの実断面積）は１８００ＭＰａ以上である。一方、高角度ベルト層８はタイヤ周方向に対して８０度〜９０度の角度θ２で傾斜する複数本のスチールコードを含んでいる。そして、上述した分割構造を有するカーカス層４は低角度ベルト層７の下方域にて不連続となるようにタイヤ幅方向に分割されている。
【００１６】
低角度ベルト層７の外周側には、高速耐久性の向上を目的として、補強コードをタイヤ周方向に対して５°以下の角度で配列してなる少なくとも１層のベルトカバー層９が配置されている。このベルトカバー層９は少なくとも１本の補強コードを引き揃えてゴム被覆してなるストリップ材をタイヤ周方向に連続的に巻回したジョイントレス構造とすることが望ましい。
【００１７】
ベルトカバー層９は、タイヤの速度レンジに応じて、その配置領域を適宜選択することができる。図１において、ベルトカバー層９は、低角度ベルト層７の全域を覆うフルカバーと、低角度ベルト層７の両端部を局部的に覆うエッジカバーとから構成されている。他の構造として、トレッド部１に低角度ベルト層７の全域を覆うフルカバーのみを設けた構造、或いは、トレッド部１に低角度ベルト層７の両端部を局部的に覆うエッジカバーのみを設けた構造を採用することも可能である。但し、ベルトカバー層９は必ずしも設ける必要はない。
【００１８】
このように構成された乗用車用空気入りラジアルタイヤでは、有機繊維コードからなる２層の低角度ベルト層７と、スチールコードからなる高角度ベルト層８とを積層しているので、圧縮剛性が高いスチールコードに基づいてベルト部の幅方向の圧縮剛性を確保しながら、高強度の有機繊維コードに基づいてベルト部の周剛性を増加させることができる。これにより、操縦安定性及び高速耐久性を改善することができる。しかも、低角度ベルト層７及び高角度ベルト層８の積層構造に対して分割構造を有するカーカス層４を組み合わせているので、上述の如く改善した操縦安定性及び高速耐久性を損なうことなく、空気入りラジアルタイヤを軽量化することができる。
【００１９】
上記空気入りラジアルタイヤにおいて、低角度ベルト層７を構成する有機繊維コードのタイヤ周方向に対する角度θ１は１５度〜４０度の範囲にするが、この角度θ１が１５度未満であるとベルト部の幅方向の剛性が不十分になるため操縦安定性が低下し、逆に４０度を超えるとベルト部の周剛性が不十分になるため操縦安定性が低下する。一方、高角度ベルト層８を構成するスチールコードのタイヤ周方向に対する角度θ２は８０度〜９０度の範囲にするが、この角度θ２が８０度未満であるとベルト部の幅方向の剛性が不十分になるため操縦安定性が低下する。
【００２０】
上記空気入りラジアルタイヤにおいて、カーカス層４の分割部のタイヤ幅方向の長さＷ１は低角度ベルト層７のうち狭い層（本実施形態では外層）の幅Ｗ０の６０％以上８０％以下であると良い。これにより、高速耐久性の改善効果を最大限に得ることができる。カーカス層４の分割部の長さＷ１が幅Ｗ０の６０％未満であると軽量化の効果が小さくなると共に高速耐久性の改善効果が小さくなり、逆に８０％を超えると低角度ベルト層７と高角度ベルト層８とからなるベルト部とカーカス層４との間の結合力が弱くなるため高速耐久性の改善効果が小さくなる。
【００２１】
また、高角度ベルト層８の幅Ｗ２は低角度ベルト層７のうち狭い層の幅Ｗ０の５５％以上９５％以下であると良い。これにより、高速耐久性と操縦安定性をバランス良く改善することができる。高角度ベルト層８の幅Ｗ２が幅Ｗ０の５５％未満であるとベルト部の幅方向の剛性が不十分になるため操縦安定性の改善効果が小さくなり、逆に９５％を超えると高角度ベルト層８のエッジにセパレーションを生じ易くなるため高速耐久性の改善効果が小さくなる。
【００２２】
低角度ベルト層７を構成する有機繊維コードの強度は１８００ＭＰａ以上、より好ましくは３０００ＭＰａ〜６０００ＭＰａの範囲にすると良い。低角度ベルト層７を構成する有機繊維コードの強度を１８００ＭＰａ以上とすることにより、ベルト部の周剛性を大きくして操縦安定性を改善することができる。また、有機繊維コードの強度を３０００ＭＰａ以上とした場合、有機繊維コードの細径化により低角度ベルト層７を薄肉化してタイヤの軽量化を促進することができる。強度が１８００ＭＰａ以上である有機繊維コードとしては、例えば、アラミド繊維コードを挙げることができる。強度が３０００ＭＰａ以上である有機繊維コードとしては、例えば、ポリ−パラフェニレンベンゾビスオキサゾール（ＰＢＯ）繊維コードを挙げることができる。
【００２３】
高角度ベルト層８を構成するスチールコードとしては、複数本のフィラメントを撚り合わせた撚りコードを使用することも可能であるが、スチール製のモノフィラメントを用いると良い。このようなモノフィラメントを用いた場合、スチールコードの細径化により高角度ベルト層８を薄肉化してタイヤの軽量化を促進することができる。モノフィラメントの線径は、耐久性と加工コストの観点から、例えば、０．２５ｍｍ〜０．４０ｍｍとすることが好ましい。モノフィラメントは直線状のものでも良いが、２次元の波状に癖付けしたものやスパイラル状に癖付けしたものでも良い。
【００２４】
低角度ベルト層７の有機繊維コードを被覆するコートコンパウンド及び高角度ベルト層８のスチールコードを被覆するコートコンパウンドは、２０℃における貯蔵弾性率Ｅ’が１５ＭＰａ以下、好ましくは、３ＭＰａ〜１５ＭＰａであり、かつ６０℃におけるｔａｎδが０．１５以下、好ましくは、０．０３〜０．１５であると良い。ここで、貯蔵弾性率Ｅ’及びｔａｎδは粘弾性スペクトロメーター（東洋精機製作所製）を用い、周波数２０Ｈｚ、初期歪み１０％、動歪み±２％の条件にて測定したものである。
【００２５】
トレッド部１にベルト層を３層構造とした場合、ベルト部の剛性に対するコートコンパウンドの寄与が低下する。そのため、低角度ベルト層７及び高角度ベルト層８には従来よりも柔らかく発熱性が低いコートコンパウンドを使用することが可能になる。つまり、コートコンパウンド中のカーボン量の低減が可能になり、その結果、発熱を少なくすることができる。そこで、低角度ベルト層７及び高角度ベルト層８に上述の貯蔵弾性率Ｅ’及びｔａｎδにて規定される柔らかく発熱性が低いコートコンパウンドを使用することにより、走行時における低角度ベルト層７及び高角度ベルト層８の発熱を抑え、高速耐久性を更に改善することができる。
【００２６】
本発明は各種タイヤサイズを有する乗用車用空気入りラジアルタイヤに対して適用可能であるが、特にカーカス層の内圧分担率が低い偏平率５５％以下の乗用車用空気入りラジアルタイヤに適用した場合に顕著な効果を期待することができる。
【実施例】
【００２７】
タイヤサイズ２０５／５５Ｒ１６で、一対のビード部間に１層のカーカス層を配置し、トレッド部におけるカーカス層の外周側に複数層のベルト層を埋設した乗用車用空気入りラジアルタイヤにおいて、カーカス層及びベルト層の構造を種々異ならせた従来例１、比較例１〜３及び参考例１のタイヤを製作した。
【００２８】
従来例１のタイヤは、カーカス層が分割構造を有し、トレッド部にタイヤ周方向に対して２５度の角度で傾斜する複数本のスチールコードを含み該スチールコードが層間で互いに交差するように積層された２層の低角度ベルト層を設けたものである。
【００２９】
比較例１のタイヤは、カーカス層が分割構造を有し、トレッド部にタイヤ周方向に対して２５度の角度で傾斜する複数本のスチールコードを含み該スチールコードが層間で互いに交差するように積層された２層の低角度ベルト層とタイヤ周方向に対して９０度の角度で配列された複数本のスチールコードを含む高角度ベルト層を設けたものである。
【００３０】
比較例２のタイヤは、カーカス層が分割構造を有し、トレッド部にタイヤ周方向に対して２５度の角度で傾斜する複数本のアラミド繊維コードを含み該アラミド繊維コードが層間で互いに交差するように積層された２層の低角度ベルト層を設けたものである。
【００３１】
比較例３のタイヤは、カーカス層が一対のビード部間で連続した構造を有し、トレッド部にタイヤ周方向に対して２５度の角度で傾斜する複数本のアラミド繊維コードを含み該アラミド繊維コードが層間で互いに交差するように積層された２層の低角度ベルト層とタイヤ周方向に対して９０度の角度で配列された複数本のスチールコードを含む高角度ベルト層を設けたものである。
【００３２】
参考例１のタイヤは、カーカス層が分割構造を有し、トレッド部にタイヤ周方向に対して２５度の角度で傾斜する複数本のアラミド繊維コードを含み該アラミド繊維コードが層間で互いに交差するように積層された２層の低角度ベルト層とタイヤ周方向に対して９０度の角度で配列された複数本のスチールコードを含む高角度ベルト層を設けたものである。
【００３３】
従来例１、比較例１〜３及び参考例１について、低角度ベルト層のコード材質、コード構造、ベルト幅、高角度ベルト層のコード材質、コード構造、ベルト幅、ベルト層のコートコンパウンドの２０℃における貯蔵弾性率Ｅ’、６０℃におけるｔａｎδ、カーボン量、カーカス層の分割部の長さＷ１、Ｗ１／Ｗ０の比率は表１の通りである。なお、ここで使用したアラミド繊維コードの強度は２０００ＭＰａである。
【００３４】
これら試験タイヤについて、下記の評価方法により、質量変化、操縦安定性、高速耐久性を評価し、その結果を表１に併せて示した。
【００３５】
質量変化：
各試験タイヤの質量を測定した。評価結果は、従来例１を基準とし、基準に対する差にて示した。表１において、従来例１に比べて減量した場合をマイナス値とし、増量した場合をプラス値とした。
【００３６】
操縦安定性：
各試験タイヤをリムサイズ１６×６．５ＪＪのホイールに組付けて試験車両に装着し、空気圧２３０ｋＰａとして、訓練された５名のドライバーにてテストコースを走行してフィーリングを評価した。評価結果は、従来例１を１００とする指数にて示した。この指数値が大きいほど操縦安定性が優れていることを意味する。
【００３７】
高速耐久性：
ドラム表面が平滑で直径１７０７ｍｍの鋼製ドラムを備えたドラム試験機を用い、周辺温度を３８±３℃に制御し、リムサイズ１６×６．５ＪＪ、試験内圧２２０ｋＰａにてインフレートさせた試験タイヤについて、負荷荷重をＪＡＴＭＡで規定された最大負荷能力の８８％とし、走行速度を１２０ｋｍ／ｈとして２０分間の走行を行い、次いで、同一荷重にて走行速度を１５０ｋｍ／ｈとして２０分間の走行を行い、以下２０分毎に走行速度を１０ｋｍ／ｈずつステップアップさせ、タイヤが破壊するまでの走行距離を測定した。評価結果は、従来例１を１００とする指数にて示した。この指数値が大きいほど高速耐久性が優れていることを意味する。
【００３８】
【表１】
0005871250.tif 000002
【００３９】
表１から明らかなように、参考例１のタイヤは、従来例１との対比において、タイヤの軽量化を実現しつつ、操縦安定性及び高速耐久性を改善することができた。
【００４０】
これに対して、比較例１のタイヤは、スチールコードからなる３層のベルト層を設けているため、ベルト部の周剛性の増加により操縦安定性が改善されているものの、タイヤ質量が大きく増加し、しかもベルト部の剛性増加による高速耐久性の改善効果が質量増加により相殺されていた。比較例２のタイヤは、アラミド繊維コードからなる２層の低角度ベルト層のみを備えているため、軽量ではあるものの、ベルト部の周剛性の減少により操縦安定性が大きく低下していた。比較例３のタイヤは、アラミド繊維コードからなる２層の低角度ベルト層とスチールコードからなる高角度ベルト層とを備えているため、ベルト部の周剛性の増加により操縦安定性が改善されているものの、カーカス層が連続しているため質量が増加し、ベルト部の剛性増加による高速耐久性の改善効果が質量増加により相殺されていた。
【００４１】
次に、カーカス層の分割部のタイヤ幅方向の長さを異ならせたこと以外は参考例１と同様の構造を有する参考例２〜５のタイヤを製作した。
【００４２】
これら試験タイヤについて、上述の評価方法により、質量変化、操縦安定性、高速耐久性を評価し、その結果を表２に併せて示した。
【００４３】
【表２】
0005871250.tif 000003
【００４４】
表２から明らかなように、特にカーカス層４の分割部のタイヤ幅方向の長さＷ１を低角度ベルト層のうち狭い層の幅Ｗ０の６０％〜８０％としたとき、良好な高速耐久性を得ることができた。
【００４５】
次に、低角度ベルト層のコード材質、高角度ベルト層のコード構造、各ベルト層のコートコンパウンドの物性を異ならせたこと以外は参考例１と同様の構造を有する参考例６，７及び実施例１のタイヤを製作した。なお、ここで使用したＰＢＯ繊維コードの強度は３２００ＭＰａである。
【００４６】
これら試験タイヤについて、上述の評価方法により、質量変化、操縦安定性、高速耐久性を評価し、その結果を表３に併せて示した。
【００４７】
【表３】
0005871250.tif 000004
【００４８】
表３から明らかなように、低角度ベルト層のコード材質、高角度ベルト層のコード構造、各ベルト層のコートコンパウンドの物性を適宜選択することにより、軽量化、操縦安定性及び高速耐久性の改善効果を高めることができた。
【符号の説明】
【００４９】
１  トレッド部
２  サイドウォール部
３  ビード部
４  カーカス層
５  ビードコア
６  ビードフィラー
７  低角度ベルト層
８  高角度ベルト層
９  ベルトカバー層
【図１】
0005871250.tif 000005
【図２】
0005871250.tif 000006